(57)【要約】      （修正有）【課題】ハウス内の暖房負荷の大きさに応じた燃焼運転制御を行う施設園芸用温風暖房機の制御方法を提供する。【解決手段】施設園芸用ハウス内に設置され、バーナの燃焼運転により生じた燃焼ガスとハウス内空気との熱交換により温風を生成してハウス内を暖房する施設園芸用温風暖房機の制御方法であって、施設園芸用ハウスの内外温度差または施設園芸用ハウスに対する太陽輻射熱量を測定し、測定値によってハウス暖房負荷を高負荷、中負荷、低負荷のいずれかに判定し、判定された負荷に応じて前記バーナの燃焼運転におけるオン・オフ制御の設定温度または運転時間を変更する。中負荷時および低負荷時の設定温度を、高負荷時の設定温度よりもそれぞれ段階的に低く設定するか、中負荷時および低負荷時の運転時間を、それぞれ高負荷における運転時間よりも段階的に短く設定する。【選択図】図６
2016073241.tif 000002
【特許請求の範囲】
【請求項１】
施設園芸用ハウス内に設置され、バーナの燃焼運転により生じた燃焼ガスとハウス内空気との熱交換により温風を生成してハウス内を暖房し、前記バーナの燃焼運転はハウス内に設置された温度センサに基づきオン・オフ制御されるようになっている施設園芸用温風暖房機の制御方法であって、
施設園芸用ハウスの内外温度差または施設園芸用ハウスに対する太陽輻射熱量を測定し、当該測定値によってハウス暖房負荷を高負荷、中負荷、低負荷のいずれかに判定し、判定された負荷に応じて前記バーナのオン・オフ制御の設定温度または運転時間を変更することを特徴とする、施設園芸用温風暖房機の制御方法。
【請求項２】
バーナの燃焼運転中に、前記内外温度差または前記太陽輻射熱量を測定し、得られた測定値によってハウス暖房負荷を高負荷、中負荷、低負荷のいずれかに判定し、判定された負荷に応じて前記バーナのオン・オフ制御の設定温度または運転時間が切り替わることを特徴とする、請求項１記載の施設園芸用温風暖房機の制御方法。
【請求項３】
施設園芸用ハウスの内外温度差を測定する場合、同温度差が１５℃以上を高負荷、１０℃以下を低負荷、その中間を中負荷と判定することを特徴とする、請求項１記載の施設園芸用温風暖房機の制御方法。
【請求項４】
施設園芸用ハウスに対する太陽輻射熱量を測定する場合、同熱量が１２０ｋｃａｌ／ｍ２以下を高負荷、３００ｋｃａｌ／ｍ２以上を低負荷、その中間を中負荷と判定することを特徴とする、請求項１記載の施設園芸用温風暖房機の制御方法。
【請求項５】
中負荷時および低負荷時の設定温度を、高負荷時の設定温度よりもそれぞれ段階的に低く設定し、または、中負荷時および低負荷時の運転時間を、それぞれ高負荷における運転時間よりも段階的に短く設定することを特徴とする、請求項１記載の施設園芸用温風暖房機の制御方法。
【発明の詳細な説明】
【技術分野】
【０００１】
本発明は、施設園芸用ハウス内に温風を吐出して暖房を行う温風暖房機の制御方法に関するものである。
【背景技術】
【０００２】
通常、この種の温風暖房機による施設園芸用ハウス内の暖房は、図８に示すように、温風暖房機のケーシング１内にハウス内空気を送風機２により取り入れ、バーナ３の燃焼運転により生じた燃焼ガスと火炉４および熱交換部５において熱交換し、生成された温風を吐出口６からダクトによりハウス内に配風することにより行なわれている。ハウス内の温度制御は、ハウス内の温度センサに基づくバーナ３の燃焼運転のＯＮ・ＯＦＦ制御により行われる。すなわち、図９に示すように、バーナ３の燃焼運転の開始（ＯＮ）によりハウス内の室温が上昇し、設定温度を超えたとき（動作幅、例えば１℃）はバーナ３の運転を停止（ＯＦＦ）し、その後ハウス内の室温が下降し、ハウス内の室温が設定温度に至ったときはバーナ３の運転を再開（ＯＮ）する。これによりハウス内の温度を設定温度付近に維持している（例えば特許文献１参照）。なお、燃焼ガスは煙突７を通して排気され、温風暖房機には木質ペレット等を燃料とするタイプも含まれる。
【先行技術文献】
【特許文献】
【０００３】
【特許文献１】特開平５−２９６４９２号公報
【発明の概要】
【発明が解決しようとする課題】
【０００４】
しかしながら、従来一般の温風暖房機は、温度制御に対する熱的機動性（レスポンス）が悪く、また、熱容量も大きいため、図９に示すように、ハウス内の室温が設定温度を大きく超えるオーバーシュートやアンダーシュートが発生する。オーバーシュートやアンダーシュートは、ハウス内の暖房負荷（損失熱量）が大きい（例えば冬季や夜間の暖房時）ほど小さく、ハウス内の暖房負荷が小さい（例えば春秋や昼間の暖房時）ほど大きい傾向がある。そして、ハウス内の室温が設定温度より高めに推移すると、ハウス内で栽培される園芸作物に与える熱影響が大きくなり、また、暖房費の無駄にもつながっている。ペレット燃料を用いる温風暖房機においては、油焚きに比べて、温風が発生するまでの起動時間が長く、燃焼灰の蓄熱が残留するため、上記オーバーシュートやアンダーシュートの傾向はより強かった。
【０００５】
本発明は上記課題に鑑みてなされたもので、ハウス内の暖房負荷の大きさに応じて最適な燃焼運転制御を行える施設園芸用温風暖房機の制御方法を提供することを目的とする。
【課題を解決するための手段】
【０００６】
上記課題を解決するために、本発明に係る施設園芸用温風暖房機の制御方法は、
施設園芸用ハウス内に設置され、バーナの燃焼運転により生じた燃焼ガスとハウス内空気との熱交換により温風を生成してハウス内を暖房する施設園芸用温風暖房機の制御方法であって、
施設園芸用ハウスの内外温度差または施設園芸用ハウスに対する太陽輻射熱量を測定し、当該測定値によってハウス暖房負荷を高負荷、中負荷、低負荷のいずれかに判定し、判定された負荷に応じて、バーナの燃焼運転におけるオン・オフ制御の設定温度または運転時間を変更することを最も主要な特徴とする。
【０００７】
施設園芸用ハウスにおける暖房負荷は、燃焼運転時にハウス内からハウス外へ熱移動する損失熱量として把握される。施設園芸用ハウスにおいては、最初に暖房期間中の必要熱量を求めるようにしているが、温風暖房機の運転により生成された温風は、ハウス内の空気を暖めてハウス被覆資材を通して温度の低い室外へと流れる熱移動（損失熱量）を生じさせる。このため、ハウス内の温度は、温風暖房機の熱出力と損失熱量との熱バランスにより保たれる。損失熱量は、次の３種類、すなわち、図１に示すように、ハウス内から被覆資材を通過する熱量である貫流熱負荷Ｑ１（約７０〜９５％）、ハウスの隙間換気に伴う伝熱量である隙間換気伝熱負荷Ｑ２（約０〜２５％）、ハウス床面の土壌との熱交換による伝熱量である地中伝熱負荷Ｑ３（−５〜５％）に分けられる。そして、一般には、最も温度の下がる時期のＱ１＋Ｑ２＋Ｑ３の合計値が最大暖房負荷として利用され、この最大暖房負荷を基礎として、燃焼運転におけるオン・オフ制御の制御温度（設定温度）が設定されている。
【０００８】
本発明では、施設園芸用ハウスの内外温度差または施設園芸用ハウスに対する太陽輻射熱量を測定することにより、上記ハウス暖房負荷を、高負荷、中負荷、低負荷の３つに区分し、区分した負荷に応じてバーナの燃焼運転におけるオン・オフ制御の設定温度または運転時間を変更するようにしている。このときのハウス暖房負荷は、上記のＱ１＋Ｑ２＋Ｑ３の合計値を基準とするほか、Ｑ１＋Ｑ２、Ｑ１＋Ｑ３、Ｑ１のいずれかを基準としてもよい。
【０００９】
本発明によると、高負荷・中負荷・低負荷の３区分の負荷に応じて、バーナの燃焼運転におけるオン・オフ制御の設定温度または運転時間を変更することで、高負荷時に比較して、幅が大きくなる傾向にある中負荷時あるいは低負荷時のオーバーシュートとアンダーシュートをともに小さくコントロールできる。これにより、暖房負荷の大きさに関わらず、ハウス内温度を設定温度付近に維持できるようになり、暖房費の節約を図ると共に、ハウス内で栽培される園芸作物に与える熱影響を小さくできる。
【００１０】
本発明に係る施設園芸用温風暖房機の制御方法は、バーナの燃焼運転中に、前記内外温度差または前記太陽輻射熱量を測定し、当該測定値によってハウス暖房負荷を高負荷、中負荷、低負荷のいずれかに判定し、判定された負荷に応じて前記バーナのオン・オフ制御の設定温度または運転時間を切り替えることを第２の特徴とする。
【００１１】
本発明に係る施設園芸用温風暖房機の制御方法は、施設園芸用ハウスの内外温度差を測定する場合、同温度差が１５℃以上を高負荷、１０℃以下を低負荷、その中間を中負荷と判定することを第３の特徴とする。
【００１２】
本発明に係る施設園芸用温風暖房機の制御方法は、施設園芸用ハウスに対する太陽輻射熱量を測定する場合、同熱量が１２０ｋｃａｌ／ｍ２以下を高負荷、３００ｋｃａｌ／ｍ２以上を低負荷、その中間を中負荷と判定することを第４の特徴とする。
【００１３】
本発明に係る施設園芸用温風暖房機の制御方法は、中負荷時および低負荷時の設定温度を、高負荷時の設定温度よりもそれぞれ段階的に低く設定すること、または、中負荷時および低負荷時の運転時間を、それぞれ高負荷における運転時間よりも段階的に短くすることを第５の特徴とする。なお、設定温度は段階的に１℃以上低くすること、運転時間は段階的に２分間以上短くすること、高負荷時の運転時間は燃焼開始後設定温度に達するまでの時間とすることが望ましい。
【発明の効果】
【００１４】
以上説明したように、本発明に係る施設園芸用温風暖房機の制御方法によると、ハウス内の暖房負荷を高負荷、中負荷、低負荷に区分し、暖房負荷の大きさに応じてバーナの燃焼運転におけるオン・オフ制御の設定温度または運転時間を変更するようにしたから、暖房負荷の大きさ・変動に拘わらずハウス内の温度を設定温度付近に維持できるようになり、暖房費の節約とハウス内で栽培される園芸作物への熱影響の低減化を図ることができるという優れた効果を奏する。
【図面の簡単な説明】
【００１５】
【図１】ハウス内に施設園芸用温風暖房機を設置した状態を示す図、
【図２】図１の温風暖房機の側面図、
【図３】図２の温風暖房機の平面図、
【図４】図２の温風暖房機において、燃焼ガスが排気される様子を示す説明図、
【図５】図２の温風暖房機に設けられる制御部の構成を示す図、
【図６】高負荷運転・中負荷運転・低負荷運転における判定条件と運転条件の設定例を示す表で、（Ａ）は内外温度差を判定条件とする場合、（Ｂ）は太陽輻射熱量を判定条件とする場合の表、
【図７】図２の温風暖房機の制御方法を示すフロー図、
【図８】従来の施設園芸用温風暖房機を示す断面図、
【図９】ハウス内温度と燃焼運転のオン・オフ制御の関係を示すグラフである。
【発明を実施するための最良の形態】
【００１６】
本発明を実施するための一実施形態を図１ないし図７を参照して説明する。図１において符号１００は施設園芸用温風暖房機である。
【００１７】
施設園芸用温風暖房機１００（以下、温風暖房機１００という）は、図１に示すように、施設園芸用ハウスＨの内部に設置されている。同温風暖房機１００は、図２に示すようにケーシング１０１内に円筒状の火炉１１０が配置されている（図２では説明しやすいようにケーシング１０１の側板を省略してある）。ケーシング１０１の一端にはペレット燃料用のバーナ１２０が取り付けられている。バーナ１２０には、木質系等のペレット燃料を投入する燃料投入口１２１と、燃焼室１２２内に空気を送る空気ファン１２３が設けられている。
【００１８】
火炉１１０は、図３および図４に示すように、一端に燃焼ガスの入口１１１と二次空気取入部１１２を備え、内部に燃焼ガス室１１３が設けられ、他端に燃焼ガスの出口１１４と灰排出口１１５を備えている。燃焼ガス室１１３には、他端寄りの上面から出口１１４に向けて斜め下に延びる火堰部１１６が設けられている。灰排出口１１５には灰集積室１１７が設けられている。灰集積室１１７の正面には灰取出扉１１８が取り付けられている。
【００１９】
ケーシング１０１内で火炉１１０の直上には熱交換部１３０が配置されている。熱交換部１３０は、図４に示すように、燃焼ガス室１１３の出口１１４側の第１煙室１３１、第１煙管部１３２、第２煙室１３３、第２煙管部１３４、第３煙室１３５を備えている。第３煙室１３５は連通部１３６を介して排ガス誘引部１６０に接続されている。
【００２０】
ケーシング１０１の上面には送風機１４０、１４０が取り付けられている。送風機１４０は、ファンの回転により、ハウスＨ内の空気をケーシング１０１内に取り込んで、熱交換部１３０および火炉１１０との間で熱交換を行い、温風を生成するようになっている。ケーシング１０１の下部には温風吐出部１５０が設けられている。温風吐出部１５０は複数の温風吐出口１５１を備え、生成された温風Ａをダクトを通してハウスＨ内に隅々まで送り出すようになっている。
【００２１】
ケーシング１０１の他端には排ガス誘引部１６０が設けられている。排ガス誘引部１６０は、燃焼ガス室１１３内の燃焼ガスを出口１１４へ、ひいては図示しない煙突へ誘引するための誘引ブロア１６１と、サイクロン式集塵機１６２を備えている。サイクロン式集塵機１６２は、熱交換部１３０の第３煙室１３５に連通部１３６を介して接続され、サイクロン部１６３に流入した塵を含む燃焼ガスを旋回させ、遠心力により分離した塵を下方の塵集積部（図示せず）に集積するようになっている。図示しない塵集積部の正面には塵取出扉１６４が取り付けられている。
【００２２】
バーナ１２０の側面には燃焼運転および温風吹出用の制御部１７０が設けられている。制御部１７０は、図１に示すように、ハウスＨの内部に設置された温度センサ１８１、ハウスＨの外部に設置された温度センサ１８２、ハウスＨの屋根に設置された太陽輻射熱量計１８３と接続されている。
【００２３】
制御部１７０は、図５に示すように、入出力部１７１と、ハウス暖房負荷判定部１７２と、判定条件設定部１７３と、運転条件設定部１７４と、プログラム・データ格納部１７５と、演算処理部１７６を備えている。
【００２４】
ハウス暖房負荷判定部１７２は、判定条件設定部１７３で設定された判定条件に従い、高負荷運転モード、中負荷運転モード、低負荷運転モードのいずれかを判定するようになっている。
【００２５】
判定条件設定部１７３は、判定条件として、ハウス内外温度差（Ｔ１−Ｔ２＝△Ｔ）条件と、太陽輻射熱量（Ｑ）条件のいずれかを選択できるようになっている。ハウス内外温度差条件は、△Ｔが大きい場合を高負荷（例：△Ｔ＞＝１５℃）、△Ｔが小さい場合を低負荷（例：１０℃＞＝△Ｔ）、その中間を中負荷（１５℃＞△Ｔ＞１０℃）に対応させている。太陽輻射熱量条件は、１時間あたりの太陽輻射熱量Ｑ（ｋｃａｌ／ｍ２）として、Ｑが小さい場合を高負荷（例：Ｑ＜＝１２０ｋｃａｌ／ｍ２）、Ｑが大きい場合を低負荷（例：Ｑ＞＝３００ｋｃａｌ／ｍ２）、その中間を中負荷（例：３００＞Ｑ＞１２０）に対応させている。
【００２６】
運転条件設定部１７４は、運転条件として、設定温度変更モード１７４Ａと、運転時間変更モード１７４Ｂを備え、いずれかのモードを選択できるようになっている。
【００２７】
設定温度変更モード１７４Ａは、高負荷運転モードの設定値が［基準値］とされ、残りの運転モードの設定値が［基準値］よりも段階的に小さくなるように設定されている。例えば、中負荷運転モードの設定温度を［基準値−１℃］、低負荷運転モードの設定温度を［基準値−２℃］に設定する。ここで、設定温度は、ハウスＨ内部の目標温度であり、温度センサ１７１からの信号に基づき、バーナ１２０の燃焼運転が開始（ＯＮ）され、設定温度を超えると（動作幅、例えば１℃）、バーナ１２０の燃焼運転が停止（ＯＦＦ）されるようになっている。なお、低負荷運転モードの設定値を基準とし、残りの運転モードの設定値が段階的に大きくなるように設定してもよい。
【００２８】
運転時間変更モード１７４Ｂは、高負荷運転モードの運転時間（燃焼時間）が［基準値］とされ、残りの運転モードの運転時間が［基準値］よりも段階的に小さくなるように設定されている。例えば、高負荷運転モードの運転時間を燃焼開始後設定温度に達するまでの時間（［基準値］）とし、中負荷運転モードの運転時間を［基準値−Ｓ１］（例えば基準値−５分間）、低負荷運転モードの運転時間を［基準値−Ｓ２］（例えば基準値−７分間）に設定する。中負荷運転モード、低負荷運転モードの各運転時間は適宜変更可能である。あるいは、中負荷運転モード、低負荷運転モードの各運転時間は、例えば高負荷運転モードの運転時間を約７〜１０分程度と想定して、それぞれ５分間、３分間と設定してもよい。運転時間は、バーナ１２０の燃焼運転の開始（ＯＮ）−停止（ＯＦＦ）間の時間を指す。
【００２９】
プログラム・データ格納部１７５は、各運転モードのプログラム、判定条件・運転条件の設定データ、センサからの温度データが格納されている。演算処理部１７６は、これらのデータの処理を行う。図６に、高負荷運転・中負荷運転・低負荷運転の各モードに対応した判定条件・運転条件の設定例を示す。図６（Ａ）は内外温度差を判定条件とする場合、（Ｂ）は太陽輻射熱量を判定条件とする場合の例である。
【００３０】
上記の制御部１７０では、制御パネル上の操作により、判定条件部１７３での判定条件モード選択、運転条件設定部１７４での運転条件モード選択、設定温度変更モード１７４Ａでの設定温度の変更、運転時間変更モード１７４Ｂでの運転時間の変更を行えるようになっている。
【００３１】
次に、温風暖房機１００の運転制御方法について、図７等を参照して説明する。
【００３２】
まず、制御部１７０の制御パネル上で判定条件・運転条件を設定する。ここで図６を参照して、判定条件は内外温度差条件モード、運転条件は設定温度変更モードを選択する。
【００３３】
暖房運転制御の開始により、ハウス内外の温度センサ１８１，１８２の温度が測定され、内外温度差（△Ｔ）のサンプリングにより、制御部１７０のハウス暖房負荷判定部１７２が、図６（Ａ）を参照して、△Ｔ＞＝１５℃の場合は高負荷運転、１０℃＜△Ｔ＜１５℃の場合は中負荷運転、１０℃＞＝△Ｔの場合は低負荷運転と判定する。
【００３４】
［高負荷運転モード］
ハウス暖房負荷が高負荷と判定されたら、バーナ１２０の燃焼運転が高負荷運転モードで開始（ＯＮ）される。燃料投入口１２１からペレット燃料が燃焼室１２２内に一定量装填されると共に、空気ファン１２３が作動され、燃焼室１２２内のペレット燃料が着火され、燃焼室１２２内のペレット燃料の定常燃焼により、燃焼ガスＧが燃焼ガス室１１３内へ噴出される。同期して制御部１７０からの制御信号により、誘引ブロア１６１およびサイクロン式集塵機１６２、２台の送風機１４０が作動される。
【００３５】
燃焼ガス室１１３内の燃焼ガスＧは、図４に示すように、出口１１４から熱交換部１３０の第１煙管部１３２、第２煙管部１３４を通り、サイクロン式集塵機１６２へ向かう。その間、２台の送風機１４０からケーシング１０１内に取り込まれたハウス内空気と、火炉１１０および熱交換部１３０を流れる燃焼ガスＧとの間で熱交換が行われ、温風が生成される。生成された温風Ａは下部の温風吐出部１５０の温風吐出口１５１からハウスＨ内へ供給される。
【００３６】
なお、サイクロン式集塵機１６２に入った燃焼ガスＧは、サイクロン部１６３内で塵と分離されて、図示しない煙突に向かい、煙突からハウスＨ外へ排気される。分離された塵は下降し塵集積室に集積される。
【００３７】
バーナ１２０の燃焼運転中、ハウス内温度が上昇し、設定温度（基準値、例えば１８℃）＋動作幅（例えば１℃）に達すると、温度センサ１８１からの信号によりバーナ１２０の燃焼運転が停止（ＯＦＦ）される。そして、図９に示すように、ハウス内温度が下降して設定温度に至ると、再びバーナ１２０の燃焼運転が開始（ＯＮ）され、バーナ１２０の燃焼運転の制御により、ハウス内温度が設定温度に維持される。
【００３８】
［中負荷運転モード］
バーナ１２０の燃焼運転中、ハウス内外温度差（△Ｔ）は常に計測され、内外温度の変化により、同温度差（△Ｔ）が１０℃＜△Ｔ＜１５℃になったら、ハウス暖房負荷判定部１７２が中負荷運転と判定して中負荷運転モードに移行し、中負荷運転モードでバーナ１２０の燃焼運転が開始（ＯＮ）される。
【００３９】
バーナ１２０の燃焼運転中、ハウス内温度が上昇し、設定温度（基準値−１℃）＋動作幅（例えば１℃）に達すると、温度センサ１８１からの信号によりバーナ１２０の燃焼運転が停止（ＯＦＦ）される。そして、前述したようにハウス内温度が下降して設定温度（基準値−１℃）に至ると、再びバーナ１２０の燃焼運転が開始（ＯＮ）され、バーナ１２０の燃焼運転の制御により、ハウス内温度が設定温度（基準値−１℃）に維持される。
【００４０】
［低負荷運転モード］
バーナ１２０の燃焼運転中、内外温度の変化により、同温度差（△Ｔ）が１０℃＞＝△Ｔになったら、ハウス暖房負荷判定部１７２が低負荷運転と判定して低負荷運転モードに移行し、低負荷運転モードでバーナ１２０の燃焼運転が開始（ＯＮ）される。
【００４１】
バーナ１２０の燃焼運転中、ハウス内温度が上昇し、設定温度（基準値−２℃）＋動作幅（例えば１℃）に達すると、温度センサ１８１からの信号によりバーナ１２０の燃焼運転が停止（ＯＦＦ）される。そして、前述したようにハウス内温度が下降して設定温度（基準値−２℃）に至ると、再びバーナ１２０の燃焼運転が開始（ＯＮ）され、バーナ１２０の燃焼運転の制御により、ハウス内温度が設定温度（基準値−２℃）に維持される。
【００４２】
以上のように、高負荷運転と判定された場合は［基準値］、中負荷運転と判定された場合は［基準値−１℃］、低負荷運転と判定された場合は［基準値−２℃］をそれぞれ設定温度として、バーナ１２０の燃焼運転がＯＮ−ＯＦＦ制御される。
【００４３】
ハウス内暖房負荷の大きさ（高・中・低）に応じてバーナ１２０の燃焼運転をＯＮ−ＯＦＦ制御する設定温度を段階的に低くシフトすることで、設定温度に対するオーバーシュート、アンダーシュートの大きさを小さく制御し、ハウス内温度が高めに推移することを防止し、ハウス内温度を設定温度付近に安定して維持できる。特にペレットを燃料とする場合、燃焼灰が炉内に多量に堆積して蓄熱するため、オーバーシュートの傾向が強く、本実施形態の制御方法を採用することにより、ハウス内温度を設定温度付近に効果的に維持できるようになった。
【００４４】
次に、制御部１７０の制御パネル上で判定条件・運転条件を変更する。図６を参照して、判定条件は太陽輻射熱量条件モード、運転条件は運転時間変更モードを選択する。
【００４５】
暖房運転制御の開始により、太陽輻射熱量計１８３により太陽輻射熱量（１時間あたり）が測定され、太陽輻射熱量（Ｑ）のサンプリングにより、制御部１７０のハウス暖房負荷判定部１７２が、図６（Ｂ）を参照して、Ｑ＜＝１２０ｋｃａｌ／ｍ２の場合は高負荷運転、１２０＜Ｑ＜３００の場合は中負荷運転、Ｑ＞＝３００ｋｃａｌ／ｍ２の場合は低負荷運転と判定する。
【００４６】
［高負荷運転モード］
ハウス暖房負荷が高負荷と判定されたら、バーナ１２０の燃焼運転が高負荷運転モードで開始（ＯＮ）される。バーナ１２０の燃焼運転中、ハウス内温度が上昇し、設定温度（基準値、例えば１８℃）＋動作幅（例えば１℃）に達すると、バーナ１２０の燃焼運転が停止（ＯＦＦ）される。そして、図９に示すように、ハウス内温度が下降して設定温度に至ると、再びバーナ１２０の燃焼運転が開始（ＯＮ）され、バーナ１２０の燃焼運転が行われる。これによりハウス内温度が設定温度付近に維持される。
【００４７】
［中負荷運転モード］
バーナ１２０の燃焼運転中、ハウスＨへの太陽輻射熱量（Ｑ）は常に計測され、輻射熱量の変化により、同輻射熱量（Ｑ）が１２０＜Ｑ＜３００になったら、ハウス暖房負荷判定部１７２が中負荷運転と判定して中負荷運転モードに移行し、中負荷運転モードでバーナ１２０の燃焼運転が開始（ＯＮ）される。
【００４８】
バーナ１２０の燃焼運転中、ハウス内温度が上昇し、設定された運転時間（例えば５分間）に達すると、タイマーによりバーナ１２０の燃焼運転が停止（ＯＦＦ）される。そして、前述したようにハウス内温度が下降して設定温度に至ると、再びバーナ１２０の燃焼運転が開始（ＯＮ）され、設定された運転時間だけバーナ１２０の燃焼運転が行われる。これによりハウス内温度が設定温度に維持される。
【００４９】
［低負荷運転モード］
バーナ１２０の燃焼運転中、ハウスＨへの太陽輻射熱量の変化により、同輻射熱量（Ｑ）が３００ｋｃａｌ／ｍ２＜＝Ｑになったら、ハウス暖房負荷判定部１７２が低負荷運転と判定して低負荷運転モードに移行し、低負荷運転モードでバーナ１２０の燃焼運転が開始（ＯＮ）される。
【００５０】
バーナ１２０の燃焼運転中、ハウス内温度が上昇し、設定された運転時間（例えば３分間）に達すると、タイマーによりバーナ１２０の燃焼運転が停止（ＯＦＦ）される。そして、前述したようにハウス内温度が下降して設定温度に至ると、再びバーナ１２０の燃焼運転が開始（ＯＮ）され、設定された運転時間だけバーナ１２０の燃焼運転が行われる。これによりハウス内温度が設定温度に維持される。
【００５１】
以上のように、本条件モードは、高負荷運転、中負荷運転、低負荷運転と判定された場合は、それぞれ運転時間を段階的に短くして、バーナ１２０の燃焼運転がＯＮ−ＯＦＦ制御される。
【００５２】
これにより、ハウス内暖房負荷の大きさ（高・中・低）に応じてバーナ１２０の燃焼運転の運転時間を段階的に短くすることで、設定温度に対するオーバーシュート、アンダーシュートの大きさを小さく制御し、ハウス内温度が高めに推移することを防止し、ハウス内温度を設定温度付近に安定して維持できる。
【００５３】
本発明の温風暖房機において、ハウスの屋根に太陽光パネルを設置し、得られた電力を蓄電し、夜間にＬＥＤ光を園芸作物（レタス・トマス・菊等）に照射して育成促進や出荷時期の調整を図るようにしてもよい。
【００５４】
かくして、本発明の温風暖房機の制御方法によれば、暖房費用の削減を図れ、ハウス内で栽培される園芸作物への熱影響の低減化を図ることができる。
【産業上の利用可能性】
【００５５】
本発明に係る施設園芸用温風暖房機の制御方法は、施設園芸ハウス内を温風で暖房する温風暖房機の制御方法として幅広く利用できる。
【符号の説明】
【００５６】
１００  施設園芸用温風暖房機
１０１  ケーシング
１１０  火炉
１１１  燃焼ガスの入口
１１２  空気取入部
１１３  燃焼ガス室
１１４  燃焼ガスの出口
１１５  灰排出口
１１６  火堰部
１１７  灰集積室（灰集積部）
１１８  灰取出扉
１２０  バーナ
１２１  燃料投入口
１２２  燃焼室
１２３  空気ファン
１３０  熱交換部
１３１  第１煙室
１３２  第１煙管部
１３２Ａ，１３４Ａ  煙管
１３３  第２煙室
１３４  第２煙管部
１３５  第３煙室
１３６  連通部
１４０  送風機
１５０  温風吐出部
１５１  温風吐出口
１６０  排ガス誘引部
１６１  誘引ブロア
１６２  サイクロン式集塵機
１６３  サイクロン部
１６４  塵取出扉
１７０  制御部
１７１  入出力部
１７２  ハウス暖房負荷判定部
１７３  判定条件設定部
１７４  運転条件設定部
１７５  プログラム・データ格納部
１７６  演算処理部
１８１，１８２  温度センサ
１８３  太陽熱輻射熱量計
Ｈ  施設園芸用ハウス
Ｇ  燃焼ガス
【図１】
2016073241.tif 000003
【図２】
2016073241.tif 000004
【図３】
2016073241.tif 000005
【図４】
2016073241.tif 000006
【図５】
2016073241.tif 000007
【図６】
2016073241.tif 000008
【図７】
2016073241.tif 000009
【図８】
2016073241.tif 000010
【図９】
2016073241.tif 000011